(57)【要約】【課題】  すでに博物館、美術館等のそれぞれが保有する独自のデータベースシステムを統合して、一括管理できる情報統合管理システム、情報統合管理装置、情報統合管理方法を提供する。【解決手段】  ネットワーク１０に接続可能な複数の博物館、美術館等が保有する物品をデジタルデータ化した情報を記憶させたデータベースシステム１２と、ネットワーク１０を介して各々のデータベースシステム１２に接続可能であり、かつ、利用者端末３０がデータベースシステム１２にアクセスするためのポータル機能を備える情報統合管理装置２０とから構成される情報統合管理システムを用いる。【選択図】    図１
2005165663.tif 000002
【特許請求の範囲】
【請求項１】
複数の博物館、美術館等が保有する物品をデジタルデータ化した情報を記憶させたデータベースシステムをネットワークを介して統合する情報統合管理装置であって、
前記ネットワークを介して前記データベースシステムに接続し情報のやり取りをする機能と共に、利用者端末が前記情報にアクセスするためのポータル機能を有することを特徴とする情報統合管理装置。
【請求項２】
請求項１に記載の統合管理装置において、
前記ポータル機能は、前記情報を検索する検索機能、閲覧機能、ダウンロード機能のうち、いずれか１つ以上の機能を有することを特徴とする情報統合管理装置。
【請求項３】
請求項１または２に記載の統合管理装置において、
利用者から前記ネットワークを介して接続可能な課金機能をさらに備えることを特徴とする統合管理装置。
【請求項４】
請求項１乃至３のいずれかに記載の統合管理装置において、
前記複数の博物館、美術館等が保有する物品の色と、前記物品をデジタルデータ化した情報を前記ネットワークを介して前記利用者端末に表示させた場合の色とが同色なるように、色変換を行う色変換機能をさらに有することを特徴とする情報統合管理装置。
【請求項５】
複数の博物館、美術館等が保有する物品をデジタルデータ化した情報を記憶させたデータベースシステムをネットワークを介して統合する情報統合管理方法であって、
前記ネットワークを介して前記データベースシステムに接続し情報のやり取りをすると共に、利用者端末が前記情報にアクセスするためのポータル機能を提供するステップを有することを特徴とする情報統合管理方法。
【請求項６】
複数の博物館、美術館等が保有する物品をデジタルデータ化した情報を記憶し、ネットワークに接続可能な前記複数の博物館、美術館が備える複数のデータベースシステムと、
前記ネットワークを介して前記複数のデータベースシステムに接続可能であり、利用者が前記複数のデータベースシステムにアクセスするためのポータル機能を備える情報統合管理装置と、
を具備することを特徴とする情報統合管理システム。
【発明の詳細な説明】
【技術分野】
【０００１】
この発明は、博物館、美術館等が保有する恐竜の骨、陶器、書物、絵画等からなる歴史的に貴重な物からなる骨董品、収蔵品、文化遺産、美術品等の物品をデジタル化した情報（アーカイブ）を記憶させたデータベースシステムをネットワークで統合して管理、利用する情報統合管理装置に関するものである。
【背景技術】
【０００２】
博物館や美術館等が保有する上記物品は、物品毎に最適な保存をしていても劣化することが多く、劣化を防ぐために上記物品をデジタル化し、データベースとして保存することが近年行われている。このような上記物品のデジタル化は、博物館や美術館で独自に行うこともあるし、また、デジタル化権などを購入した第三者が行う場合もある。
【０００３】
そして、データベース化された物品のデジタルデータは、デジタルデータを利用・閲覧したい利用者に無料または有料で閲覧されている。前記利用者がデジタルデータを閲覧するための閲覧方法は、例えば、ＣＤ−ＲＯＭ、ＤＶＤのような媒体で配布されたり、ネットワークで配信することが行われている（例えば、特許文献１参照）。
【特許文献１】特願２０００−７６３３９。
【発明の開示】
【発明が解決しようとする課題】
【０００４】
博物館、美術館等が保有する上記物品をデジタル化してデータベースシステムとして運営されていた場合、各々で独自にデータベースが存在して運営されているので、利用者がどのデータベースにアクセスすれば所望の情報が得られるのかを判断するのが困難な場合がある。さらに、所望の情報を得るために多数のデータベースにアクセスする場合は、この処理が煩雑になり、所望の情報を見つけ出すまでに膨大な時間を要したり、また、所望の情報が見つからない場合もある。
【０００５】
この発明は上記事情に着目してなされたもので、その目的とするところは、すでに博物館、美術館等のそれぞれが保有する独自のデータベースシステムを統合して、一括管理できる情報統合管理システム、情報統合管理装置、情報統合管理方法を提供することにある。
【課題を解決するための手段】
【０００６】
本発明はかかる課題を解決するものであり、請求項１の発明は、複数の博物館、美術館等が保有する物品をデジタルデータ化した情報を記憶させたデータベースシステムをネットワークを介して統合する情報統合管理装置であって、前記ネットワークを介して前記データベースシステムに接続し情報のやり取りをする機能と共に、利用者端末が前記情報にアクセスするためのポータル機能を有することを特徴とする情報統合管理装置である。
【０００７】
したがって請求項１の発明は、ネットワークを介してデータベースシステムに接続し情報のやり取りをする機能と共に、利用者端末が情報にアクセスするためのポータル機能を有するように構成される。このため、すでに博物館、美術館等のそれぞれが保有する独自のデータベースシステムを統合して、一括管理できる。
【０００８】
また、請求項２の発明は、請求項１に記載の情報統合管理装置において、ポータル機能は、情報を検索する検索機能、閲覧機能、ダウンロード機能のうち、いずれか１つ以上の機能を有することを特徴とする情報統合管理装置である。
【０００９】
したがって請求項２の発明は、ポータル機能には、情報を検索する検索機能、閲覧機能、ダウンロード機能のうち、いずれか１つ以上の機能を備えられている。このため、データベースシステムの検索や閲覧、ダウンロードサービスを行うことができる。
【００１０】
また、請求項３の発明は、請求項１または２に記載の情報統合管理装置において、利用者からネットワークを介して接続可能な課金機能をさらに備えることを特徴とする統合管理装置である。
【００１１】
したがって請求項３の発明は、利用者からネットワークを介して接続可能な課金機能をさらに備えられている。このため、提供したサービスに課金して有料サービスを提供することができる。
【００１２】
また、請求項４の発明は、請求項１乃至３のいずれかに記載の情報統合管理装置において、前記複数の博物館、美術館等が保有する物品の色と、前記物品をデジタルデータ化した情報を前記ネットワークを介して前記利用者端末に表示させた場合の色とが同色なるように、色変換を行う色変換機能をさらに有することを特徴とする情報統合管理装置である。
【００１３】
したがって請求項４の発明は、複数の博物館、美術館等が保有する物品の色と、この物品をデジタルデータ化した情報をネットワークを介して利用者端末に表示させた場合の色とが同色なるように、色変換を行う色変換機能がさらに備えられる。このため、複数の博物館、美術館等が保有する物品の色と同色のデジタルデータを利用者に提供することができる。
【００１４】
また、請求項５の発明は、複数の博物館、美術館等が保有する物品をデジタルデータ化した情報を記憶させたデータベースシステムをネットワークを介して統合する情報統合管理方法であって、前記ネットワークを介して前記データベースシステムに接続し情報のやり取りをすると共に、利用者端末が前記情報にアクセスするためのポータル機能を提供するステップを有することを特徴とする情報統合管理方法である。
【００１５】
したがって請求項５の発明は、ネットワークを介してデータベースシステムに接続し情報のやり取りをする機能と共に、利用者端末が情報にアクセスするためのポータル機能を有するように構成される。このため、すでに博物館、美術館等のそれぞれが保有する独自のデータベースシステムを統合して、一括管理できる。
【００１６】
また、請求項６の発明は、複数の博物館、美術館等が保有する物品をデジタルデータ化した情報を記憶し、ネットワークに接続可能な前記複数の博物館、美術館が備える複数のデータベースシステムと、前記ネットワークを介して前記複数のデータベースシステムに接続可能であり、利用者が前記複数のデータベースシステムにアクセスするためのポータル機能を備える情報統合管理装置とを具備することを特徴とする情報統合管理システムである。
【００１７】
したがって請求項６の発明は、複数の博物館、美術館等が保有する物品をデジタルデータ化した情報を記憶し、ネットワークに接続可能な前記複数の博物館、美術館が備える複数のデータベースシステムと、ネットワークを介して前記複数のデータベースシステムに接続可能であり、利用者が前記複数のデータベースシステムにアクセスするためのポータル機能を備える情報統合管理装置とが具備されるように構成される。このため、すでに博物館、美術館等のそれぞれが保有する独自のデータベースシステムを統合して、一括管理できる。
【発明の効果】
【００１８】
請求項１の発明によれば、すでに博物館、美術館等のそれぞれが保有する独自のデータベースシステムを統合して、一括管理できる。
【００１９】
請求項２の発明によれば、データベースシステムの検索や閲覧、ダウンロードサービスを行うことができる。
【００２０】
請求項３の発明によれば、提供したサービスに課金して有料サービスを提供することができる。
【００２１】
請求項４の発明によれば、複数の博物館、美術館等が保有する物品の色と同色のデジタルデータを利用者に提供することができる。
【００２２】
請求項５の発明によれば、すでに博物館、美術館等のそれぞれが保有する独自のデータベースシステムを統合して、一括管理できる。
【００２３】
請求項６の発明によれば、すでに博物館、美術館等のそれぞれが保有する独自のデータベースシステムを統合して、一括管理できる。
【発明を実施するための最良の形態】
【００２４】
（第１実施形態）
次に、本願発明の第１実施形態について図面を参照して詳細に説明する。
【００２５】
図１は、本発明の第１実施形態に係る情報統合管理装置を適用した情報統合管理システムの一実施形態を示す構成ブロック図である。
【００２６】
本発明の第１実施形態による情報統合管理システムは、インターネット等の通信回線であるネットワーク１０と、このネットワーク１０に接続可能であり、博物館や美術館等が保有する恐竜の骨、陶器、書物、絵画等からなる歴史的に貴重な物からなる骨董品、収蔵品、文化遺産、美術品等の物品をデジタル化した情報（アーカイブ）が蓄積されているそれぞれの博物館、美術館データベースシステム１２と、これら複数の博物館、美術館データベースシステム１２を統合し、前記ネットワーク１０に接続され、博物館、美術館データベースシステム１２のそれぞれにアクセス可能なポータル機能を有する情報統合管理装置２０と、ネットワーク１０を介して情報統合管理装置２０にアクセスし、さらに、この情報統合管理装置２０を介して、博物館、美術館データベースシステム１２にアクセスする利用者端末３０とから構成される。
【００２７】
博物館、美術館データベースシステム１２は、上記情報をデータベースとして蓄積しているものであり、博物館、美術館が管理しているデータベースシステムである。
【００２８】
この博物館、美術館データベースシステム１２がデジタル化情報として蓄積するものが絵画等である場合、この絵画をデジタルデータとして入力するために撮像したデジタルカメラ等のプロファイルも前記情報に含ませるようにする。これは、利用者が使用する利用者端末３０の画面に表示される絵画の色を、博物館、美術館に存在する実物とほぼ同一色にして表示するために使用されるカラーマネージメント処理に使用する際に用いられるものである。なお、このカラーマネージメント処理は、利用者端末３０、情報統合管理装置２０のどちらでも行われてよいものとする。実物とほぼ同一色を利用者端末２０に表示するための処理は、絵画だけに限定されることはなく、他の物にも適用される。また、上記情報はデジタル化されたデータであるので、電子透かし等の技術を用いて不正利用を行わせないこともできる。この電子透かしを情報に埋め込む処理や不正利用を行わせないような処理は、博物館、美術館データベースシステム１２、情報統合管理装置２０のどちらで行ってもよい。博物館、美術館データベースシステム１２は、ネットワーク１０に常時接続していてもよく、また、所定の時間接続するように設定することもできるものとする。
【００２９】
情報統合管理装置２０は、情報統合管理装置２０は、複数の博物館、美術館データベースシステムを統合し、管理するポータル機能を備えたサーバからなる装置である。このポータル機能とは、利用者端末３０からの博物館、美術館が保有する物品をデジタルデータとして情報を所望するアクセスを受信し、統合して管理している複数の博物館、美術館データベースシステム１２への接続を仲介する等の処理を行うことである。例えば、利用者が所望する情報がどの博物館、美術館データベースシステム１２に蓄積されているか分からない場合であっても、統合されている全ての博物館・美術館データベースシステム１２に蓄積されている情報を検索して、利用者端末３０へ対応する上記情報を送信することができる。これは、情報統合管理装置２０に博物館、美術館データベースシステム１２に蓄積されている情報を検索可能な情報と機能を有して、処理を行っているからである。なお、本実施形態において、博物館、美術館データベースシステム１２のみに上記情報が蓄積されている場合を用いて説明しているが、特定の情報にアクセスが多数行われた場合に、その特定情報のみ情報統合管理装置２０に記憶させて利用者からのアクセスを効率的に行うようにすることもできる。
【００３０】
また、情報統合管理装置２０は、図２に示すように、制御部２４と記憶部２２とを備えている。記憶部２２は、博物館、美術館、博物館、美術館データベースシステム１２の所在情報（例えば、ＩＰ（Internet Protocol）アドレス等）や博物館、美術館データベースシステム１２に蓄積されている情報に関する物品の作者、物品の作成年度や国、キーワード等の情報を分類できるデータ種別を記憶するデータベースシステム情報記憶領域２２aと、利用者が利用者端末３０を用いて情報統合管理装置２０にアクセスして所望する情報を要求する際に使用する利用者の利用者名、利用者ＩＤやパスワード等の認証情報を記録する識別情報記憶領域２２bを備えている。
【００３１】
制御部２４は、情報統合管理装置２０が統合して管理している博物館、美術館データベースシステム１２にアクセスし、利用者端末３０から受信した情報に可憐する情報の作者、発掘場所、作成年度等の情報のキーワードを基に利用者の所望する情報が博物館、美術館データベースシステム１２に蓄積されているか、どの博物館、美術館データベースシステム１２に蓄積されているか、閲覧可能な情報なのか否か等の検索するための検索機能２４aと、利用者端末３０からの指示に従って情報を検索したり、検索後に利用者の所望する情韓の閲覧一また、利用者が利用者端末３０やダウンロードの際に、必用に応じて課金を行うことができる課金機能２４ｂを備える。
【００３２】
以上のように構成された情報統合管理システムの登録処理について、図３のフローチャートを参照して説明する。
【００３３】
制御部２４は、ステップＳ１にて、博物館、美術館データベースシステム１２の所在地情報やデータ種別（物品の作者、物品の作成年度や国、キーワード等の情報を分類できるデータ。つまり、どのデータベースシステムにどのような情報が記憶されているかを判断・研作できるデータ）等の博物館、美術館データベースシステム１２に関する情報を記億部２２のデータベースシステム記憶領域２２aに記憶する。また、制御部２４は、ステップＳ２にて、本願発明の情報統合管理システムを利用できる利用者情報として、利用者名、利用者ＩＤやパスワード等の認証情報を識別情報記憶領域２４に記憶する。制御部２４は、ステップＳ３にて、課金を設定したい情報には、課金情報（どういった場合に情報を所望した利用者に課金を行うかという情報であり、例えば、情報を検索した場合に課金する、情報を閲覧した場合に課金する、利用者端末３０の記億部に情報をダウンロードして記憶した場合に課金する等）と、課金設定条件や課金額を記憶部２２のデータベースシステム記憶領域２２aに記憶する。なお、ステップＳ１〜３までの処理は、前後して行ってもよい。
【００３４】
以上のように各種データが登録された情報統合管理システムの処理について、図４のフローチャートを参照して説明する。
【００３５】
情報統合管理装置２０の制御部２４は、ステップＳ１０にて、利用者端末３０からのアクセスがあるか否かを判別する。情報統合管理装置２０の制御部２４が、ステップＳ１０にて、利用者端末３０からのアクセスがあると判別すると、ステップＳ１２にて、記憶部２２の識別情報記憶領域２２ｂに記憶されている利用者端末３０の認証情報を読み出して、認証処理を行う。情報統合管理装置２０の制御部２４が備える検索機能２４ａは、ステップＳ１４にて、利用者端末３０からの検索または閲覧の指示に従って、情報統合管理装置２０に接続されているすべての、または任意の博物館、美術館データベースシステム１２を検索する。情報統合管理装置２０の制御部２４が備える課金機能２４ｂは、ステップＳ１６にて、検索機能２４ａによる検索の結果や閲覧に課金が必要な情報か否かを判別する。課金機能２４ｂによって、ステップＳ１６にて、課金が必要であると判別された場合は、ステップＳ１８にて、課金処理を行う。この課金処理では、電子マネーによる課金や、クレジットカード等を用いてもよい。一方、課金機能２４ｂによって、ステップＳ１６にて、課金が必要でないと判別された場合は、そのまま終了する。
【００３６】
以上説明したように、本実施形態の統合管理システムを用いることにより、すでに博物館、美術館等のそれぞれが保有する独自のデータベースシステムを統合して、一括管理、検索することができる。
【００３７】
（第２実施形態）
次に、本願発明の第２実施形態について図面を参照して詳細に説明する。第１実施形態とに相違点は、情報統合管理装置２０の制御部２４が備える課金機能２４ｂが、情報統合管理装置２０とは独立した課金装置として構成されている点である。なお、第１実施形態と同様のものには同符号を付し、詳しい説明は上述に譲る。
【００３８】
図５は、本発明の第２実施形態に係る統合管理システムの一実施形態を示す構成ブロック図である。利用者端末３０が情報統合管理装置２０にアクセスする際に課金装置４０を介してアクセスを行うようになっている。また、図６は、第２実施形態に掛かる情報統合管理装置２０のブロック図である。第１実施形態の課金機能２４ｂが省かれた構成となっている。
【００３９】
本発明の第２実施形態に係る統合管理システムの登録処理や動作処理は、図３及び図４と同様であるが、ステップＳ１６の課金処理は、課金装置４０が行う。なお、課金装置４０の管理は、情報統合管理装置２０とは別の会社等が行ってもよい。この場合には、課金装置４０は、図７に示すように、単独でネットワーク１０に接続されていてもよい。この際、課金処理は、情報統合管理装置２０が必要に応じてネットワーク１０を介して課金装置４０にアクセスして行う。
【００４０】
以上説明したように、本実施形態の統合管理システムを用いることにより、第１実施形態の効果に加え、利用者に対して柔軟に課金処理を行うことができる。
【００４１】
また、上述した実施形態では、情報統合管理装置２０は、博物館、美術館データベースシステム１２内のデータの検索や閲覧処理、さらに必要に応じて課金処理を行っているが、博物館、美術館データベースシステム１２からデータのアップロードを受け、情報統合管理装置２０内に一部またはすべてのデータを蓄積しておくようにしてもよい。
【００４２】
なお、本実施形態で説明した統合管理システムを電子化して、プログラムとし、これらの処理を自動的に行うコンピュータにプログラムに読み込み、実行させることができるソフトウエア手段として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【図面の簡単な説明】
【００４３】
【図１】本発明の第１実施形態に係る統合管理システムの構造を示す構成ブロック図。
【図２】この発明の第１実施形態に係わる情報統合管理装置を示すブロック図。
【図３】この発明の第１実施形態に係わる統合管理システムへのデータの登録処理を示すフローチャート。
【図４】この発明の第１実施形態に係わる統合管理システムの検索処理を示すフローチャート。
【図５】本発明の第２実施形態に係る統合管理システムの構造を示す構成ブロック図。
【図６】この発明の第２実施形態に係わる情報統合管理装置を示すブロック図。
【図７】本発明の一実施形態に係る統合管理システムの構造を示す構成ブロック図。
【符号の説明】
【００４４】
１０…ネットワーク、１２…美術館データベースシステム、２０…情報統合管理装置、２２…記憶部、２２ｂ…識別情報記憶領域、２２ａ…データベースシステム記憶領域、２４…制御部、２４ａ…検索機能、２４ｂ…課金機能、３０…利用者端末、４０…課金装置
【図１】
2005165663.tif 000003
【図２】
2005165663.tif 000004
【図３】
2005165663.tif 000005
【図４】
2005165663.tif 000006
【図５】
2005165663.tif 000007
【図６】
2005165663.tif 000008
【図７】
2005165663.tif 000009